(57)【要約】【課題】デザイン性に優れ、複製が困難なセキュリティタグまたはセキュリティラベルを提供すること。【解決手段】少なくとも一方の面に立体構造を有する、弾性樹脂の成形体である基材と、その立体構造を有する面上に結合された、カラーシフト塗料を含有する装飾フィルムとを、有する樹脂製部材。【選択図】図１
2008030226.tif 000002
【特許請求の範囲】
【請求項１】
少なくとも一方の面に立体構造を有する、弾性樹脂の成形体である基材と、その立体構造を有する面上に結合された、カラーシフト塗料を含有する装飾フィルムとを、有する樹脂製部材。
【請求項２】
前記装飾フィルムが、少なくともカラーシフト塗膜層とを有するフィルムである請求項１記載の樹脂製部材。
【請求項３】
前記装飾フィルムが、熱可塑性樹脂層とカラーシフト塗膜層とを有する複合フィルムである請求項１又は２記載の樹脂製部材。
【請求項４】
前記弾性樹脂がポリウレタン樹脂、ポリウレタンアクリレート樹脂、熱可塑性ポリオレフィン、ポリエステル系熱可塑性エラストマーである、請求項１〜３のいずれか記載の樹脂製部材。
【請求項５】
前記熱可塑性樹脂層がポリエチレンテレフタレート、ポリオレフィン、ポリウレタン、ポリアクリレート、ポリウレタンアクリレート、ポリ塩化ビニル、ナイロン、ＥＶＡ、ポリテトラフルオロエチレン、エチレン−テトラフルオロエチレンコポリマー、パーフルオロアルコキシアルカン、ポリビニリデンフルオライドからなるフィルムである請求項３又は４記載の樹脂製部材。
【請求項６】
前記弾性樹脂の成形体がショアーＡ硬度４０〜１００を有するものである請求項１〜５のいずれか記載の樹脂製部材。
【請求項７】
セキュリティタグ又はセキュリティラベルに用いられる、請求項１〜６のいずれか記載の樹脂製部材。
【発明の詳細な説明】
【技術分野】
【０００１】
本発明は、セキュリティタグ又はセキュリティラベルに用いるのに好適な樹脂製部材に関する。
【背景技術】
【０００２】
模倣品対策として、近年、容易に正規品と偽造品の区別をつけるためのセキュリティタグまたはセキュリティラベルが広く使用されている。セキュリティタグまたはセキュリティラベルには特徴的な外観やＩＣ情報が付与されており、偽造や変造が困難化されている。尚、ＩＣは半導体集積回路を意味する。
【０００３】
そのような特徴的な外観としては、例えば、見る角度によって色が変化するカラーシフト画像、紫外線やブラックライトなど特定の波長の光に発光する特殊発光画像および色が変化するホログラムの画像などが知られている（特許文献１〜３）。
【０００４】
しかしながら、これらの画像は発光色が限られており、平面であることより、任意のデザイン性を付与するには不十分であった。また従来の材料は表面が平面であるため複製することが比較的容易であった。
【特許文献１】特開平９−９７０１１号公報
【特許文献２】特開平８−９５４７５号公報
【特許文献３】特開平１−２３２７７号公報
【特許文献４】特開平５−２６９８８３号公報
【発明の開示】
【発明が解決しようとする課題】
【０００５】
いくつかの態様において、本発明の樹脂製部材は上記従来の問題の１つ以上を解決する。いくつかの態様において、本発明の樹脂製部材は、デザイン性に優れ、複製が困難なセキュリティタグまたはセキュリティラベルを提供するのに用いることができる。
【課題を解決するための手段】
【０００６】
本発明は、少なくとも一方の面に立体構造を有する、弾性樹脂の成形体である基材と、その立体構造を有する面上に結合された、カラーシフト塗料を含有する装飾フィルムとを、有する樹脂製部材を提供する。
【発明の効果】
【０００７】
本発明の樹脂製部材は立体構造、つまり３次元形状を有している。そのため、３次元形状と、表面カラーシフト層の配色との組合わせにより立体的なロゴマークなどを容易に再現することができ、高いデザイン性を実現できる。また、本発明の樹脂製部材は弾性体である。そのため、被着体表面が曲面であってもよく追随することができ、用途が広範囲である。また３次元形状のコピーおよび解析は困難であり、無理に分離させようとすると界面で破壊を生じやすく、複製し難い。
【発明を実施するための最良の形態】
【０００８】
図１は本発明の樹脂製部材の構成の一例を示す断面図である。基材１と装飾フィルム２とを有している。基材は片面に立体構造３を有している。
【０００９】
本発明で用いる基材は弾性樹脂の成形体である。弾性樹脂は柔軟性に優れ、セキュリティタグまたはセキュリティラベルなどとした場合に、製品に付与し易い。また、接触しても衝撃が弱く、人体に対して安全である。
【００１０】
弾性樹脂の例には、ポリウレタン、ポリウレタンアクリル、ポリカーボネート、ポリエステル、熱可塑性ポリオレフィン、ポリエステル系熱可塑性エラストマーなどがある。いくつかの態様において、弾性樹脂の成形体はショアーＡ硬度３０〜１２０、好ましくは４０〜１００を有する。
【００１１】
いくつかの態様において、成形体はシート状であり、表面と裏面とを有する。そして、少なくとも一方の面に模様や造形のような、凹凸のある３次元形状を有している。模様や造形の例には、企業のロゴマーク、銘柄、商標、印章などが一般的であるが、これらに限定されない。成形体の製造は、型に流し込んで重合する等、通常の方法で行なえばよい。成形体の寸法は用途に応じて多様に変化する。一般には、成形体シートの最低厚さ０．５ｍｍ程度、最大厚さ２０ｍｍ程度である。
【００１２】
成形体の立体構造を有する面上には、次いで、カラーシフト塗料の層を設ける。いくつかの態様において、成形体の３次元形状の美しさが引き立てられ、色が複雑に変化するために偽造防止効果に優れるからである。
【００１３】
カラーシフト塗料とは、見る角度や光の当たり方によって、色彩がさまざまに変化して見える塗膜を形成する塗料をいう。いくつかの態様において、カラーシフト塗料はフレーク状の多層構造顔料を含有し、多層構造による分光効果で干渉波長が発生し、色彩が変化する。カラーシフト塗料の例には、日本ペイント社製「マジョーラ（登録商標）」等がある。
【００１４】
いくつかの態様において、カラーシフト塗料の層を成形体の上に設けるためには、図１に示されるように、成形体の立体構造を有する面上に、カラーシフト塗料を含有する装飾フィルム２を結合させる。立体構造の上にカラーシフト塗料を直接塗布すると、均一な塗膜が形成され難くなりうるからである。
【００１５】
図２は本発明で用いる装飾フィルムの構成の一例を示す断面図である。熱可塑性樹脂層４とカラーシフト塗膜層５とを有している。熱可塑性樹脂層４は存在しなくてもよい。また、必要であれば、カラーシフト塗膜層５の表面上に絵柄層や保護層を更に設けてもよい。熱可塑性樹脂層の上に塗膜層を予め設けておくことで、成形体の立体構造の上に均一な塗膜が形成される。そして、熱可塑性樹脂層は加熱して、所望の３次元形状に成形することができる。いくつかの態様において、装飾フィルムの厚さは１〜５００μｍ、好ましくは５〜３００μｍである。装飾フィルムの厚さが１μｍ未満であると装飾効果が不十分になったり、皮膜強度が弱くなって成形体表面から剥がれやすくなり、５００μｍを越えると成形体の上に所望の３次元形状に成形することが難しくなる。
【００１６】
熱可塑性樹脂層の例には、ポリエチレンテレフタレート、ポリオレフィン、ポリウレタン、ポリアクリレート、ポリウレタンアクリレート、ポリ塩化ビニル、ナイロン、ＥＶＡ、ポリテトラフルオロエチレン（ＰＴＦＥ）、エチレン−テトラフルオロエチレンコポリマー（ＥＴＦＥ）、パーフルオロアルコキシアルカン（ＰＦＡ）、ポリビニリデンフルオライド（ＰＶＤＦ）等からなるフィルムが挙げられる。いくつかの態様において、熱可塑性樹脂層の厚さは５０〜２５０μｍである。
【００１７】
装飾フィルムを成形体に結合する方法は特に限定されない。装飾フィルムの接触面に予め接着剤や粘着剤の層を設けておいて成形体に貼着させてよく、装飾フィルムを成形した後、その中に弾性樹脂を充填して固化させてもよい。熱可塑性フィルムを有する装飾フィルムを金型を使って成形する方法は、例えば、特許文献４に記載されている。
【００１８】
得られた樹脂製部材はセキュリティタグ又はセキュリティラベルに用いられる。その際、樹脂製部材の裏面には必要に応じて粘着剤や接着剤の層が設けられる。また、例えば、樹脂製部材の裏面にフィルム状電子回路を取り付けてＲＦＩＤタグなどとして使用してもよい。
【００１９】
以下の実施例により、ここに開示されている例示的な樹脂製部材をさらに具体的に説明するが、本発明はこれらに限定されない。
【実施例】
【００２０】
実施例１
図３は本実施例のセキュリティラベルの構成を示す断面図である。表１の材料を攪拌した後、型に流し込み、８０℃で５分間加熱重合を行なって、表面にロゴを有するウレタン樹脂成形体６を得た。得られた成形体は最小厚さ１．０ｍｍ、最大厚さ２．０ｍｍのシートである。
【００２１】
［表１］
2008030226.tif 000003
【００２２】
次いで、装飾フィルム７（３Ｍ社製「カラーシフトＰＥＴフィルム」、厚さ１００μｍ）をロゴ形状に合わせて成形し、成形体６のロゴの上に結合させた。
【００２３】
そして、表２の材料を重合させてアクリル粘着剤を得、これを成形体６の裏面にラミネートして粘着剤層８を形成した。
【００２４】
［表２］
2008030226.tif 000004
【００２５】
得られたセキュリティラベルは曲面によく追随して貼り付いた。また、色は複雑に変化して成形体のロゴの美しさが引き立てられた。
【００２６】
実施例２
実施例１で得られたセキュリティラベルの粘着剤面に、富士通社製製の非接触フィルム状電子回路をラミネートして、ＲＦＩＤタグを得た。
【００２７】
実施例１及び２で得られたセキュリティラベル、及びＲＦＩＤは立体的であることと角度で色が変化することよりデザイン性、セキュリティ性に優れており、また複製もしにくいものである。
【図面の簡単な説明】
【００２８】
【図１】本発明の樹脂製部材の構成の一例を示す断面図である。
【図２】本発明で用いる装飾フィルムの構成の一例を示す断面図である。
【図３】実施例１のセキュリティラベルの構成を示す断面図である。
【符号の説明】
【００２９】
１…基材、
２…装飾フィルム、
３…立体構造、
４…熱可塑性樹脂層、
５…カラーシフト塗膜層、
６…成形体、
７…装飾フィルム、
８…粘着剤層。
【図１】
2008030226.tif 000005
【図２】
2008030226.tif 000006
【図３】
2008030226.tif 000007